(57)【要約】【課題】従来、手押し除雪具は手押し方式で考えられてきたが、しかし手押し方式の手押し雪掻き具は大きな労力が必要であり、また特許製品のショルダーベルト牽引型手押し道具（除雪具）はテンションバー及びショルダーベルトが作業者の身体を束縛する事で、除雪作業効率が落ち安全性にも問題がある。【解決手段】  上記の課題を解決する為に本発明の固定ベルト型手押し除雪具は、雪掻きバケット２に取り付けられた支持棒１にハンドル３を取り付け、更にテンションバー５を取り付け、テンションバー５の後端に固定ベルト７を装備し、固定ベルト７に作業者の身体の体重を掛け、徒歩により前進することで作業者の除雪労働負荷を軽減し、またショルダーベルト牽引型手押し道具（除雪具）に於けるテンションバー及びショルダーベルトからの作業者の身体の束縛から解放し除雪作業効率を上げ、束縛からの作業の安全性を向上させる。【選択図】  図１
2010215109.tif 000002
【特許請求の範囲】
【請求項１】
手押しによる道具であって、その構造は手押し道具の両支持棒１及びハンドル２の先端に対して、金属又はその他の部材を使用しコンパクト化された棒状部材の牽引用テンションバー５を左右に取り付け、更に後方に伸びた棒状部材のテンションバー５の先端に、固定ベルト７の両端にある固定ベルト接続部６を介して、強化プラスチックあるいは同等の強度を持つ材料、及び強化ゴムその他収縮材料で形成された固定ベルト７を装備し、さらにテンションバー５と固定ベルト７については一体型としてプレス製造し取り付けができる固定ベルト牽引型手押し道具。
【請求項２】
請求項１の記載された固定ベルト牽引型手押し道具において、支持棒１シングルタイプについては支持棒１とテンションバー５の間に、金属又は強化プラスチックその他の材料のサイドバーハンドル３が設けられていて、その構造は、手持ち部分が先端から二股に分かれ補強のため棒状のサイドバー４が取り付けられたものであり、更にサイドバーハンドル３及びテンションバー５、固定ベルト７については一体型としてプレス製造及び取り付けができる固定ベルト牽引型手押し道具。
【請求項３】
請求項１の記載された固定ベルト牽引型手押し道具において、手持ちタイプの台車の場合ハンドル２後端に取り付けられたテンションバー５の両後端に対してショルダーベルト９が装備されていて、更に手押しタイプの台車についても、必要に応じて固定ベルト７の両端の補助テンションバー取り付け部８に補助テンションバー５Ａ及びショルダーベルト９を取り付けることができる固定ベルト牽引型手押し道具。
【発明の詳細な説明】
【技術分野】
【０００１】
本発明は、手押し道具の作業をする場合、手押し道具の重さと手押し道具に掛かる抵抗により、作業者の両腕の負荷は大きなものでしたが、しかし、固定ベルト牽引型手押し道具の場合、手押し道具の支持棒及びハンドルにコンパクト化されたテンションバーを取り付け更に固定ベルトを装備することで、作業者の体重を前方の固定ベルトに掛けて、テンションバーに牽引力を伝え、手押し道具を走行させるものであり、人間の身体力学を有効に生かし、腕、腰に掛る負荷を軽減し無理な姿勢から作業者を解放することを目的としている。
構造としては、手押し道具の支持棒及びハンドル後方部にコンパクト化されたテンションバーが取り付けられ、テンションバー後端に固定ベルトを装備するだけの簡単な構造となっている。
【背景技術】
【０００２】
特開２００６−２９７９８７号ショルダーベルト牽引型手押し道具は、テンションバーを手押し道具の支持棒、及びハンドル後方に取り付け、作業者の身体にショルダーベルトを装着し作業者の体重を前方に掛ける事によりショルダーベルトに牽引力が働き、徒歩による手押労力を軽減する事ができ作業者の無理な姿勢から解放することができる。
【０００３】
特開２００６−１８９３６９号ショルダーベルト牽引型台車は、両支持テンションバーを四輪台車のハンドル後方へ取り付け、身体にショルダーベルトを装着し、人間の体重を前方に掛ける事によりショルダーベルトに牽引力が働き四輪台車が楽に走行する。
また牽引方式によってバランスが良くなり一輪台車の場合、負荷が大幅に軽減され、更に手押しによる両手に掛かる負荷がないので、無理な姿勢から解放することができ、構造が簡単で重量が軽く小回りが効く。
【特許文献１】特開２００６−２９７９８７号公報
【特許文献２】特開２００６−１８９３６９号公報
【発明の開示】
【発明が解決しようとする課題】
【０００４】
上述した特許文献におけるショルダーベルト牽引型手押し道具及びショルダーベルト牽引型台車は、支持棒及びハンドルにテンションバーを取り付け、ショルダーベルトを作業者に装着し手押し道具及び台車を牽引するものである。
【０００５】
ショルダーベルト牽引型手押し道具には除雪具（大）、除雪具（小）、掃除用具モップ、掃除用具水切りワイパー、芝刈り機があり、ショルダーベルト牽引型台車には一輪台車、二輪台車、三輪台車、四輪台車、車椅子、乳母車がある。
いずれもテンションバーおよび装着用ショルダーベルトが作業者の身体の自由を束縛し作業効率を妨げ、束縛による作業者の安全性にも問題があり、また構造上テンションバーが長く折りたたみ式を取り入れる必要があり、構造が複雑化し製品としての強度確保に難点がある。
【０００６】
本発明は、上述したショルダーベルト牽引型手押し道具及びショルダーベルト牽引型台車に於ける問題点に対して、解決することができる固定ベルト牽引型手押し道具を提供することである。
【課題を解決するための手段】
【０００７】
上述の目的を達成する本発明の固定ベルト牽引型手押し道具は、手押し道具の支持棒及びハンドルの両後端にコンパクト化されたテンションバーを取り付け、更にテンションバーのもう一方の両先端に牽引用の固定ベルトを装備し、手押し道具を前進させる際には、作業者の身体の体重を固定ベルトに掛け、歩き出す事によってテンションバーを牽引し、手押し道具の牽引作業を提供するものである。
よって固定ベルト牽引型手押し道具は、テンションバーがコンパクト化されているため、ショルダーベルト牽引型手押し道具やショルダーベルト牽引型台車におけるテンションバー、及びショルダーベルトによる作業者の身体の束縛から解放し、作業効率を大幅に上げ、束縛からの作業者の安全性を確保する事ができる。
また固定ベルト牽引型手押し道具はテンションバーがコンパクト化されたため、折りたたみ式にする必要がなく構造が簡単であり、製造上の強度確保が容易である。
【０００８】
その構造は手押し道具の支持棒及びハンドルの両後端に対して、コンパクト化された棒状部材のテンションバーを取り付け、後方に伸びた棒状部材のテンションバーのもう一方の両先端に牽引用の固定ベルトを装備し、手押し道具を前進させる際には、作業者の身体の体重を前方の固定ベルトに掛け、歩き出す事によってテンションバーを牽引し、手押し道具の牽引作業を提供するものである。
【０００９】
ショルダーベルト牽引型手押し道具及びショルダーベルト牽引型台車は、走行作業中、テンションバー及びショルダーベルトにより作業者の身体が束縛されるが、固定ベルト牽引型手押し道具においては、コンパクト化されたテンションバーに固定ベルトが装備されて、固定ベルトに作業者の身体の体重を掛け牽引するだけの構造になっており、テンションバー及びショルダーベルトによる作業者の身体の束縛から放するものである。
【００１０】
この発明は、除雪具（大）、除雪具（小）、掃除用具モップ、掃除用具水切りワイパー、芝刈り機、及び一輪台車、二輪台車、三輪台車、四輪台車、車椅子、乳母車、その他すべての手押道具に対して応用が出来る。
【発明の効果】
【００１１】
以上のように、この発明は従来の手押し道具にコンパクト化されたテンションバーを取り付け、固定ベルトを装備し、固定ベルトに作業者の身体の体重を掛けてテンションバーを牽引して走行するものであり、ショルダーベルト牽引型手押し道具やショルダーベルト牽引型台車における、テンションバーおよびショルダーベルトからの作業者の身体の束縛から解放することにより作業効率が向上し、更には束縛による作業者の安全性の向上も図っている。
またこの固定ベルト牽引型手押し道具は製造が容易であり、作業者の労働力の軽減を目的としているため、すべての手押し道具に取り入れられる可能性が大きい。
【発明を実施するための最良の形態】
【００１２】
以下、本発明の実施の形態を図に基づいて説明する。
【００１３】
図１は、この発明の実施形態に従った固定ベルト牽引型手押し道具において、除雪具（大）０１０を示す斜視図である。
【００１４】
除雪作業の際、除雪具（大）０１０は大いに有効であるが、作業者１２０の腕、腰にかかる労力負担は大きなものがある。
固定ベルト牽引型手押し道具に於ける除雪具（大）０１０は、図１に示すように除雪具（大）０１０の支持棒１の左右両端に対して、金属又はその他材料を使用した棒状部材のテンションバー５をそれぞれ接続すると共に、左右の支持棒１の間にはハンドル２が設けられ、更に固定ベルト７の左右端にある固定ベルト接続部６を、棒状部材のテンションバー５の左右後端に接合する事で強化プラスチックあるいは同等の強度を持った材料、または強化ゴムなどの収縮材料などで成形された固定ベルト７が装備される。
またテンションバー５と固定ベルト７については一体化してプレス製造し、装備することができる。
さらに除雪作業の際は、作業者１２０がハンドル２を両手で握り、方向コントロールを行うと共に除雪の為の走行は、固定ベルト７に作業者１２０の体重を掛けてテンションバー５に牽引力を伝え、歩く事で除雪具（大）０１０が前進し除雪作業を行い、作業者１２０の両腕及び腰に掛る負荷を軽減する。
【００１５】
図２は、この発明形態に従った、固定ベルト牽引型手押し道具において、除雪具（大）０１０の支持棒１に金属又はその他材料を使用した棒状部材のテンションバー５を接続し、更にテンションバー５に対し強化プラスチックあるいは同等の強度を持った材料または強化ゴムなどの収縮材料などで成形された固定ベルト７を装備した状態を示す除雪具（大）０１０を後方より見た斜視図である。
【００１６】
図３は、この発明形態に従った、固定ベルト牽引型手押し道具に於ける、除雪具（小）０２０の斜視図である。
【００１７】
固定ベルト牽引型手押し道具宇の除雪具（小）０２０は小型であり、構造としては除雪具（小）０２０の支持棒１はシングルタイプであり、さらに先端から後方にかけて左右二股に分かれ、金属や強化プラスチックその他の材料で形成されたサイドバーハンドル３の先端を、支持棒１の後端に接続する。
また左右二股に分かれたサイドバーハンドル３は棒状部材のサイドバー４で補強されていて、更に左右二股に分かれたサイドバーハンドル３の後端それぞれに、金属又はその他材料を使用した棒状部材のテンションバー５の先端を接続し、更に固定ベルト７の左右端にある固定ベルト接続部６を、棒状部材のテンションバー５の左右後端に接合することで、強化プラスチックあるいは同等の強度を持った材料、または強化ゴムなどの収縮材料などで成形された固定ベルト７を装備している。
またサイドバーハンドル３タイプの場合、サイドバーハンドル３及びテンションバー５、固定ベルト７を全て取り入れた一体型で、強化プラスチック、その他の部材でプレス製造し装備することができる。
固定ベルト牽引型手押し道具に於ける除雪具（小）０２０に支持棒１を介して取り付けられた左右のサイドバーハンドル３は、作業者１２０が除雪作業をする際において、両手で持って除雪具（小）０２０の方向をコントロールする為ものであり、また固定ベルト７に作業者１２０の身体の体重を掛けて走行作業をする事で、作業労力を軽減するものである。
【００１８】
図４は、この発明形態に従った、固定ベルト牽引型手押し道具に於ける、掃除用具モップ０３０の斜視図である。
【００１９】
掃除用具モップ０３０は、一般的にビルなどの業務用掃除用具として使われており、広範囲の作業のため作業が大変である。
固定ベルト牽引型手押し道具に於ける掃除用具モップ０３０の構造としては、掃除用具モップ０３００の支持棒１はシングルタイプであり、先端から二股に分かれ金属や強化プラスチックその他の材料で形成されたサイドバーハンドル３の先端を、支持棒１の後端に接続し、また左右二股に分かれたサイドバーハンドル３については棒状部材のサイドバー４で補強されていて、二股に分かれたサイドバーハンドル３の二本の後端それぞれに対して、金属又はその他材料を使用した棒状部材のテンションバー５の先端を接続し、更に固定ベルト７の左右両端にある固定ベルト接続部６をテンションバー５の左右後端に接合することで、強化プラスチックあるいは同等の強度を持った材料、または強化ゴムなどの収縮材料などで成形された固定ベルト７を装備している。
またサイドバーハンドル３タイプの場合、サイドバーハンドル３及びテンションバー５、固定ベルト７を全て取り入れた一体型で、強化プラスチック、その他の部材でプレス製造し装備することができる。
固定ベルト牽引型手押し道具に於ける掃除用具モップ０３０に、支持棒１を介して取り付けられた左右のサイドバーハンドル３は、作業者１２０が掃除作業をする際において、両手で持って掃除用具モップ０３０の方向をコントロールする為ものであり、更に固定ベルト７に作業者１２０の身体の体重を掛けてテンションバー５に牽引力を伝え、走行作業をする事で、作業者１２０の腕及び腰に掛かる作業労力を軽減するものである。
【００２０】
図５は、この発明形態に従った、固定ベルト牽引型手押し道具に於ける、掃除用具水切りワイパー０４０の斜視図である。
【００２１】
掃除用具水切りワイパー０４０は、一般的にビルなどの業務用掃除用具として使われており、広範囲の作業のため作業が大変である。
固定ベルト牽引型手押し道具に於ける掃除用具水切りワイパー０４０の構造としては、掃除用具水切りワイパー０４０の支持棒１はシングルタイプであり、一つの先端から二股に分かれ、金属や強化プラスチックその他の材料で形成されたサイドバーハンドル３の先端を、掃除用具水切りワイパー０４０の支持棒１の後端に接続し、また左右に分かれたサイドバーハンドル３は棒状部材のサイドバー４で補強されていて、二股に分かれたサイドバーハンドル３の二本の後端に対して、金属又はその他材料を使用した棒状部材のテンションバー５の先端を接続し、更に固定ベルト７の左右両端にある固定ベルト接続部６を棒状部材のテンションバー５の左右後端に接合することで、強化プラスチックあるいは同等の強度を持った材料、または強化ゴムなどの収縮材料などで成形された固定ベルト７を装備する。
またサイドバーハンドル３タイプの場合、サイドバーハンドル３及びテンションバー５、固定ベルト７を全て取り入れた一体型で、強化プラスチック、その他の部材でプレス製造し装備することができる。
固定ベルト牽引型手押し道具に於ける掃除用具水切りワイパー０４０に、支持棒１を介して取り付けられた左右のサイドバーハンドル３は、作業者１２０が掃除作業をする際において、両手で持って掃除用具水切りワイパー０４０の方向をコントロールする為ものであり、更に固定ベルト７に作業者１２０の身体の体重を掛けてテンションバー５に牽引力を伝え走行作業をする事で、作業者１２０の両腕、腰に掛かる作業労力を軽減するものである。
【００２２】
図６は、この発明形態に従った、固定ベルト牽引型手押し道具に於ける、芝刈り機０５０の斜視図である。
【００２３】
芝刈り機０５０は、広範囲の作業が求められ、作業者１２０に掛る負担は大きなものがあるが、固定ベルト牽引型手押し道具に於ける芝刈り機０５０の場合、図６に示すように芝刈り機０５０の支持棒１左右の両端に対して、金属又はその他材料を使用した棒状部材のテンションバー５の先端をそれぞれ接続し、支持棒１の左右の間にはハンドル２が設けられていて、更に固定ベルト７の左右端にある固定ベルト接続部６を左右の棒状部材のテンションバー５後方端に接合する事で、強化プラスチックあるいは同等の強度を持った材料または強化ゴムなどの収縮材料などで成形された固定ベルト７が装備される。
またテンションバー５と固定ベルト７については、一体化してプレス製造し装備することができる。
さらに作業の際は、作業者１２０がハンドル２を両手で握り、方向コントロールを行うと共に走行作業においては、固定ベルト７に作業者１２０の体重を掛けてテンションバー５に牽引力を伝え歩く事で前進し、作業者１２０の両腕及び腰に掛る負荷を軽減する。
【００２４】
図７は、この発明形態に従った、固定ベルト牽引型手押し道具に於ける、一輪台車０６０の斜視図である。
【００２５】
一輪台車０６０は、積載物の運搬作業の際、作業者１２０にかかる労働負担は大きなものがあるが、固定ベルト牽引型手押し道具に於ける一輪台車０６０の場合、図６に示すように一輪台車０６０のハンドル２の左右両端に対して、金属又はその他材料を使用した棒状のテンションバー５の先端をそれぞれ接続すると共に、固定ベルト７の左右端にある固定ベルト接続部６を、棒状部材のテンションバー５の左右後方端に接合する事で、強化プラスチックまたは強化ゴムなどの収縮材料などで成形された固定ベルト７が装備され、更にテンションバー５の後端にはショルダーベルト９が装備されている。
テンションバー５と固定ベルト７については、一体化してプレス製造し装備することができる。
固定ベルト牽引型手押し道具に於ける一輪台車０６０の運搬作業の際は、作業者１２０がハンドル２を両手で持つことで方向コントロールを行い、さらに積載物の重量をショルダーベルト９により作業者１２０の両肩で受け止めると共に、テンションバー５の後端に装備されている事により補助的な牽引力となる。
また走行においては固定ベルト７に作業者１２０の体重を掛けてテンションバー５に牽引力を伝えて歩く事で前進し、作業者１２０の両腕及び腰に掛る負荷を軽減する。
【００２６】
図８は、この発明形態に従った、固定ベルト牽引型手押し道具に於ける、二輪台車０７０の斜視図である。
【００２７】
二輪台車０７０は、積載物の運搬作業の際、作業者１２０にかかる労働負担は大きなものがあるが、固定ベルト牽引型手押し道具に於ける二輪台車０７０の場合、図６に示すように二輪台車０７０のハンドル２の左右両端に対して、金属又はその他材料を使用した棒状部材のテンションバー５の先端をそれぞれ接続すると共に、固定ベルト７の左右端にある固定ベルト接続部６を棒状部材のテンションバー５の左右後端に接合する事で強化プラスチックあるいは同等の強度を持った材料または強化ゴムなどの収縮材料などで成形された固定ベルト７が装備され、更にテンションバー５の後端にはショルダーベルト９が装備されている。
またテンションバー５と固定ベルト７については一体化してプレス製造し装備することができる。
さらに固定ベルト牽引型手押し道具に於ける二輪台車０７０の運搬作業の際は、作業者１２０がハンドル２を両手で持ち方向コントロールを行い、更に積載物の重量をショルダーベルト８により作業者１２０の両肩で受け止めると共に、テンションバー５の後端に装備されている事により補助的な牽引力としても働く。
また走行においては固定ベルト７に作業者１２０の体重を掛けてテンションバー５に牽引力を伝えて歩く事で前進し、作業者１２０の両腕及び腰に掛る負荷を軽減する。
【００２８】
図９は、この発明形態に従った、固定ベルト牽引型手押し道具に於ける、三輪台車０８０の斜視図である。
【００２９】
三輪台車０８０は、積載物の運搬作業の際、作業者１２０にかかる労働負担は大きなものがあるが、固定ベルト牽引型手押し道具に於ける三輪台車０６０の場合、図６に示すように三輪台車０６０のハンドル２の左右両端に対して、金属又はその他材料を使用した棒状部材のテンションバー５の先端をそれぞれ接続すると共に、固定ベルト７の左右端にある固定ベルト接続部６を棒状部材のテンションバー５の左右後端に接合する事で、強化プラスチックあるいは同等の強度を持った材料または強化ゴムなどの収縮材料などで成形された固定ベルト７が装備され、更に固定ベルト７の両端にある補助テンションバー取り付部８に対して補助テンションバー５Ａと接続されたショルダーベルト９を装備できるようになっている。
またテンションバー５と固定ベルト７については一体化してプレス製造し装備することができ、補助テンションバー５Ａについてはスライド式又は折りたたみ式にして固定ベルト７の両サイドに装備することも出来る。
さらに固定ベルト牽引型手押し道具に於ける三輪台車０６０の運搬作業の際は、作業者１２０がハンドル２を両手で握り方向コントロールを行うと共に走行においては、固定ベルト７に作業者１２０の体重を掛けてテンションバー５に牽引力を伝えて歩く事で前進し、作業者１２０の両腕及び腰に掛る負荷を軽減する。
また、急な上り坂を登る場合においては補助テンションバー５Ａと接続されたショルダーベルト９を取り付け、作業者１２０の両肩に掛け補助的な牽引に使う。
【００３０】
図１０は、この発明形態に従った、固定ベルト牽引型手押し道具に於ける、四輪台車０９０の斜視図である。
【００３１】
四輪台車０９０は、積載物の運搬作業の際、作業者１２０にかかる労働負担は大きなものがあるが、固定ベルト牽引型手押し道具に於ける四輪輪台車０６０の場合、図６に示すように四輪台車０６０のハンドル２の左右両端に対して、金属又はその他材料を使用した棒状部材のテンションバー５の先端をそれぞれ接続すると共に、固定ベルト７の左右端にある固定ベルト接続部６を棒状部材のテンションバー５の左右後端に接合する事で強化プラスチックあるいは同等の強度を持った材料、または強化ゴムなどの収縮材料などで成形された固定ベルト７が装備され、更に固定ベルト７の両端にある補助テンションバー取り付部８に対して補助テンションバー５Ａと接続されたショルダーベルト９を装備できるようになっている。
またテンションバー５と固定ベルト７については一体化してプレス製造し装備することができ、補助テンションバー５Ａについてはスライド式又は折りたたみ式にして、固定ベルト７の両サイドの装備することも出来る。
さらに固定ベルト牽引型手押し道具に於ける四輪台車０９０の運搬作業の際は、作業者１２０がハンドル２を両手で握り方向コントロールを行うと共に走行においては、固定ベルト７に作業者１２０の体重を掛けてテンションバー５に牽引力を伝えて歩く事で前進し、作業者１２０の両腕及び腰に掛る負荷を軽減する。
また、急な上り坂を登る場合においては補助テンションバー５Ａと接続されたショルダーベルト９を取り付け、作業者１２０の両肩に掛け補助的な牽引に使う。
【００３２】
図１１は、この発明形態に従った、固定ベルト牽引型手押し道具に於ける、車椅子１００の斜視図である。
【００３３】
車椅子１００の移動の際、作業者（介護者）１２０にかかる労働負担は大きなものがあるが、固定ベルト牽引型手押し道具に於ける車椅子１００の場合、図６に示すように車椅子１００のハンドル２の左右両端に対して、金属又はその他材料を使用した棒状部材のテンションバー５の先端をそれぞれ接続すると共に、固定ベルト７の左右端にある固定ベルト接続部６を棒状部材のテンションバー５の左右後端に接合する事で、強化プラスチックあるいは同等の強度を持った材料、または強化ゴムなどの収縮材料などで成形された固定ベルト７が装備され、更に固定ベルト７の両端にある補助テンションバー取り付部８に対して補助テンションバー５Ａと接続されたショルダーベルト９を装備できるようになっている。
またテンションバー５と固定ベルト７については一体化してプレス製造し装備することができ、補助テンションバー５Ａについてはスライド式又は折りたたみ式にして装備することも出来る。
さらに固定ベルト牽引型手押し道具に於ける車椅子１００の移動の際は、作業者（介護者）１２０がハンドル２を両手で握り方向コントロールを行うと共に、走行においては固定ベルト７に作業者（介護者）１２０の体重を掛けてテンションバー５に牽引力を伝えて歩く事で前進し、作業者（介護者）１２０の両腕及び腰に掛る負荷を軽減する。
また、急な上り坂を登る場合においては補助テンションバー５Ａと接続されたショルダーベルト９を取り付け、作業者（介護者）１２０の両肩に掛け補助的な牽引に使う。
【００３４】
図１２は、この発明形態に従った、固定ベルト牽引型手押し道具に於ける、乳母車１１０の斜視図である。
【００３５】
乳母車の移動の際、作業者（保護者）にかかる長時間の労働負担は大きなものがあるが、固定ベルト牽引型手押し道具に於ける乳母車１１０の場合、図６に示すように乳母車１１０のハンドル２の左右両端に対して、金属又はその他材料を使用した棒状部材のテンションバー５の先端をそれぞれ接続すると共に、固定ベルト７の左右端にある固定ベルト接続部６を棒状部材のテンションバー５の左右後端に接合する事で強化プラスチックあるいは同等の強度を持った材料、または強化ゴムなどの収縮材料などで成形された固定ベルト７が装備され、更に固定ベルト７の両端にある補助テンションバー取り付部８に対して補助テンションバー５Ａと接続されたショルダーベルト９を装備できるようになっている。
またテンションバー５と固定ベルト７は一体化してプレス製造し装備することができ、補助テンションバーについてはスライド式又は折りたたみ式にして、固定ベルト７の両サイドに装備することも出来る。
さらに固定ベルト牽引型手押し道具に於ける乳母車１１０の移動の際は、作業者（保護者）１２０がハンドル２を両手で握り方向コントロールを行うと共に、走行においては固定ベルト７に作業者（保護者）１２０の体重を掛けてテンションバー５に牽引力を伝えて歩く事で前進し、作業者（保護者）１２０の両腕及び腰に掛る負荷を軽減する。
また、急な上り坂を登る場合においては補助テンションバー５Ａと接続されたショルダーベルト９を取り付け、作業者（保護者）１２０の両肩に掛け補助的な牽引に使う。
【実施例１】
【００３６】
従来の手押し道具は多機種にわたり使用されてきたが、その作業は作業者の手押しにより行われ、長時間の手押し作業の場合、作業者の両腕、腰にかかる負荷は大きいものがあった。
またショルダーベルト牽引型手押し道具、及びショルダーベルト牽引型台車においては作業者の腕、腰にかかる負荷を軽減しているが、いずれもテンションバーおよび装着用のショルダーベルトが作業者の身体の自由を束縛し作業効率を妨げ、束縛による作業者の安全性に問題があり、また構造上テンションバーが長く、折りたたみ式を取り入れる必要がるため構造が複雑化し製品の強度確保に難点がある。
【産業上の利用可能性】
【００３７】
固定ベルト牽引型手押し道具は、作業者の身体の体重を固定ベルトにかけて、テンションバーに牽引力を伝えて走行するものであり、作業者の手押しによる労働力を軽減することで、長時間の手押し道具による労働の軽減及び、労働時間の短縮となる。
更にショルダーベルト牽引型手押し道具及びショルダーベルト牽引型台車におけるテンションバー又はショルダーベルトによる作業者の身体束縛から解放することができ、作業効率が向上し作業者の安全性の確保ができる。
また、固定ベルト牽引型手押し道具は、テンションバーがコンパクト化され構造が簡単になり製品強度の確保が容易であるため、現在普及している全ての手押し道具に対して製品の後付も可能であり、更には手押し道具の生産過程において従来の手押し道具と一体化した商品を作る事が可能であるため、今後、幅広く多機種の手押し道具に利用される可能性は多いにある。
【図面の簡単な説明】
【００３８】
【図１】本発明の実施形態に従った固定ベルト牽引型手押し道具で、除雪具（大）の支持棒にテンションバーを接続し固定ベルトを取り付け、作業者の身体の体重を固定ベルトにかけて歩行している斜視図である。
【図２】本発明の実施形態に従った固定ベルト牽引型手押し道具で、除雪具（大）の支持棒、ハンドル、テンションバー、固定ベルトを後方より見た拡大斜視図である。
【図３】本発明の実施形態に従った固定ベルト牽引型手押し道具で、除雪具（小）の支持棒にサイドバーハンドルを接続し、更に後方に対して二股に分かれたサイドバーハンドルにテンションバーを接続し固定ベルトを取り付けた斜視図である。
【図４】本発明の実施形態に従った固定ベルト牽引型手押し道具で、掃除具モップの支持棒にサイドバーハンドルを接続し、更に後方に対して二股に分かれたサイドバーハンドルに各テンションバーを接続し固定ベルトを取り付けた斜視図である。
【図５】本発明の実施形態に従った固定ベルト牽引型手押し道具で、掃除具水切りワイパーの支持棒にサイドバーハンドルを接続し、更に後方に対して二股に分かれたサイドバーハンドルに各テンションバーを接続し固定ベルトを取り付けた斜視図である。
【図６】本発明の実施形態に従った固定ベルト牽引型手押し道具で、芝刈り機の両方の支持棒に対しハンドルを横方向に設置し、更に各テンションバーを支持棒の後端に接続し固定ベルトを取り付けた斜視図である。
【図７】本発明の実施形態に従った固定ベルト牽引型手押し道具で、一輪台車の両方のハンドルに各テンションバーを接続し固定ベルトを取り付け、更にテンションバーの後端にショルダーベルトを装備した斜視図である。
【図８】本発明の実施形態に従った固定ベルト牽引型手押し道具で、二輪台車の両方のハンドルに各テンションバーを接続し固定ベルトを取り付け、更にテンションバーの後端にショルダーベルトを装備し、更に作業者がショルダーベルトを装着してハンドルに掛かる重量を両肩で受け止めると共に補助的な牽引をし、固定ベルトに身体の体重を掛けで二輪台車を牽引している斜視図である。
【図９】本発明の実施形態に従った固定ベルト牽引型手押し道具で、三輪台車の両方の支持棒にハンドルを取り付け、更に支持棒の後端に各テンションバーを接続し固定ベルトを取り付け、更に固定ベルトの両端にある補助テンションバー取り付け部に補助テンションバー及びショルダーベルトを装備し、急な上り坂に於ける補助的な牽引を出来るようにした状態の斜視図である。
【図１０】本発明の実施形態に従った固定ベルト牽引型手押し道具で、四輪台車の両方の支持棒にハンドルを取り付け、更に支持棒の後端に各テンションバーを接続し固定ベルトを取り付け、更に必要に応じて固定ベルトの両端にある補助テンションバー取り付け部に補助テンションバー及びショルダーベルトが装備できるようにした斜視図である。
【図１１】本発明の実施形態に従った固定ベルト牽引型手押し道具で、車椅子の両方のハンドルにテンションバーを接続し固定ベルトを取り付け、更に必要に応じて固定ベルトの両端にある補助テンションバー取り付け部に補助テンションバー及びショルダーベルトが装備できるようにした斜視図である。
【図１２】本発明の実施形態に従った固定ベルト牽引型手押し道具で、乳母車の両方のハンドルにテンションバーを接続し固定ベルトを取り付け、更に必要に応じて固定ベルトの両端にある補助テンションバー取り付け部に補助テンションバー及びショルダーベルトが装備できるようにした斜視図である。
【符号の説明】
【００３９】
１              支持棒
２              ハンドル
３              サイドバーハンドル
４              サイドバー
５              テンションバー
５Ａ              補助テンションバー
６              固定ベルト接続部
７              固定ベルト  
８              補助テンションバー取り付け部
９              ショルダーベルト            
１０              ショルダーベルト肩パット
０１０              除雪具（大）
０２０              除雪具（小）
０３０              掃除用具モップ
０４０              掃除用具水切りワイパー
０５０              芝刈り機
０６０              一輪台車
０７０              二輪台車
０８０              三輪台車
０９０              四輪台車
１００              車椅子
１１０              乳母車
１２０              作業者
【図１】
2010215109.tif 000003
【図２】
2010215109.tif 000004
【図３】
2010215109.tif 000005
【図４】
2010215109.tif 000006
【図５】
2010215109.tif 000007
【図６】
2010215109.tif 000008
【図７】
2010215109.tif 000009
【図８】
2010215109.tif 000010
【図９】
2010215109.tif 000011
【図１０】
2010215109.tif 000012
【図１１】
2010215109.tif 000013
【図１２】
2010215109.tif 000014
【手続補正書】
【提出日】平成21年3月31日(2009.3.31)
【手続補正１】
【補正対象書類名】明細書
【補正対象項目名】０００７
【補正方法】変更
【補正の内容】
【０００７】
上述の目的を達成する本発明の固定ベルト牽引型手押し道具は、手押し道具の支持棒及びハンドルの両後端にコンパクト化されたテンションバーを取り付け、更にテンションバーのもう一方の両先端に牽引用の固定ベルトを装備し、手押し道具を前進させる際には、作業者の身体の体重を固定ベルトに掛け、歩き出す事によってテンションバーを牽引し、手押し道具の牽引作業を提供するものである。
更に急な上り坂や重い荷物などを運搬する場合は、補助牽引用としてテンションバー後方に対してシングルタイプ又はダブルタイプのショルダーベルトを装備することができる。
よって固定ベルト牽引型手押し道具は、テンションバーがコンパクト化されているため、ショルダーベルト牽引型手押し道具やショルダーベルト牽引型台車におけるテンションバー、及びショルダーベルトによる作業者の身体の束縛から解放し、作業効率を大幅に上げ、束縛からの作業者の安全性を確保する事ができる。
また固定ベルト牽引型手押し道具はテンションバーがコンパクト化されたため、折りたたみ式にする必要がなく構造が簡単であり、製造上の強度確保が容易である。
【手続補正２】
【補正対象書類名】明細書
【補正対象項目名】００１４
【補正方法】変更
【補正の内容】
【００１４】
除雪作業の際、除雪具（大）０１０は大いに有効であるが、作業者１２０の腕、腰にかかる労力負担は大きなものがある。
固定ベルト牽引型手押し道具に於ける除雪具（大）０１０は、図１に示すように除雪具（大）０１０の支持棒１の左右両端に対して、棒状部材のテンションバー５をそれぞれ接続すると共にテンションバー５については支持棒１又はハンドル２と一体化でき、左右の支持棒１の間にはハンドル２が設けられ、更に固定ベルト７の左右端にある固定ベルト接続部６を、棒状部材のテンションバー５の左右後端に接合する事で固定ベルト７が装備される。
またテンションバー５と固定ベルト７については一体化して製造し、装備することができる。
さらに除雪作業の際は、作業者１２０がハンドル２を両手で握り、方向コントロールを行うと共に除雪の為の走行は、固定ベルト７に作業者１２０の体重を掛けてテンションバー５に牽引力を伝え、歩く事で除雪具（大）０１０が前進し除雪作業を行い、作業者１２０の両腕及び腰に掛る負荷を軽減する。
【手続補正３】
【補正対象書類名】明細書
【補正対象項目名】００１５
【補正方法】変更
【補正の内容】
【００１５】
図２は、この発明形態に従った、固定ベルト牽引型手押し道具において、除雪具（大）０１０の支持棒１に棒状部材のテンションバー５を接続し、更にテンションバー５に対し固定ベルト７を装備した状態を示す除雪具（大）０１０を後方より見た斜視図である。
【手続補正４】
【補正対象書類名】明細書
【補正対象項目名】００１７
【補正方法】変更
【補正の内容】
【００１７】
固定ベルト牽引型手押し道具宇の除雪具（小）０２０は小型であり、構造としては除雪具（小）０２０の支持棒１はシングルタイプであり、さらに先端から後方にかけて左右二股に分かれたサイドバーハンドル３の先端を、支持棒１の後端に接続する。
また左右二股に分かれたサイドバーハンドル３は棒状部材のサイドバー４で補強されていて、更に左右二股に分かれたサイドバーハンドル３の後端それぞれに、棒状部材のテンションバー５の先端を接続し、更に固定ベルト７の左右端にある固定ベルト接続部６を、棒状部材のテンションバー５の左右後端に接合することで固定ベルト７を装備している。
またサイドバーハンドル３タイプの場合、サイドバーハンドル３及びテンションバー５、固定ベルト７を全て取り入れた一体型で製造し装備することができる。
固定ベルト牽引型手押し道具に於ける除雪具（小）０２０に支持棒１を介して取り付けられた左右のサイドバーハンドル３は、作業者１２０が除雪作業をする際において、両手で持って除雪具（小）０２０の方向をコントロールする為ものであり、また固定ベルト７に作業者１２０の身体の体重を掛けて走行作業をする事で、作業労力を軽減するものである。
【手続補正５】
【補正対象書類名】明細書
【補正対象項目名】００１９
【補正方法】変更
【補正の内容】
【００１９】
掃除用具モップ０３０は、一般的にビルなどの業務用掃除用具として使われており、広範囲の作業のため作業が大変である。
固定ベルト牽引型手押し道具に於ける掃除用具モップ０３０の構造としては、掃除用具モップ０３００の支持棒１はシングルタイプであり、先端から二股に分かれたサイドバーハンドル３の先端を、支持棒１の後端に接続し、また左右二股に分かれたサイドバーハンドル３については棒状部材のサイドバー４で補強されていて、二股に分かれたサイドバーハンドル３の二本の後端それぞれに対して、棒状部材のテンションバー５の先端を接続し、更に固定ベルト７の左右両端にある固定ベルト接続部６をテンションバー５の左右後端に接合することで固定ベルト７を装備している。
またサイドバーハンドル３タイプの場合、サイドバーハンドル３及びテンションバー５、固定ベルト７を全て取り入れた一体型で製造し装備することができる。
固定ベルト牽引型手押し道具に於ける掃除用具モップ０３０に、支持棒１を介して取り付けられた左右のサイドバーハンドル３は、作業者１２０が掃除作業をする際において、両手で持って掃除用具モップ０３０の方向をコントロールする為ものであり、更に固定ベルト７に作業者１２０の身体の体重を掛けてテンションバー５に牽引力を伝え、走行作業をする事で、作業者１２０の腕及び腰に掛かる作業労力を軽減するものである。
【手続補正６】
【補正対象書類名】明細書
【補正対象項目名】００２１
【補正方法】変更
【補正の内容】
【００２１】
掃除用具水切りワイパー０４０は、一般的にビルなどの業務用掃除用具として使われており、広範囲の作業のため作業が大変である。
固定ベルト牽引型手押し道具に於ける掃除用具水切りワイパー０４０の構造としては、掃除用具水切りワイパー０４０の支持棒１はシングルタイプであり、一つの先端から二股に分かれたサイドバーハンドル３の先端を、掃除用具水切りワイパー０４０の支持棒１の後端に接続し、また左右に分かれたサイドバーハンドル３は棒状部材のサイドバー４で補強されていて、二股に分かれたサイドバーハンドル３の二本の後端に対して棒状部材のテンションバー５の先端を接続し、更に固定ベルト７の左右両端にある固定ベルト接続部６を棒状部材のテンションバー５の左右後端に接合することで固定ベルト７を装備する。
またサイドバーハンドル３タイプの場合、サイドバーハンドル３及びテンションバー５、固定ベルト７を全て取り入れた一体型で製造し装備することができる。
固定ベルト牽引型手押し道具に於ける掃除用具水切りワイパー０４０に、支持棒１を介して取り付けられた左右のサイドバーハンドル３は、作業者１２０が掃除作業をする際において、両手で持って掃除用具水切りワイパー０４０の方向をコントロールする為ものであり、更に固定ベルト７に作業者１２０の身体の体重を掛けてテンションバー５に牽引力を伝え走行作業をする事で、作業者１２０の両腕、腰に掛かる作業労力を軽減するものである。
【手続補正７】
【補正対象書類名】明細書
【補正対象項目名】００２３
【補正方法】変更
【補正の内容】
【００２３】
芝刈り機０５０は、広範囲の作業が求められ、作業者１２０に掛る負担は大きなものがあるが、固定ベルト牽引型手押し道具に於ける芝刈り機０５０の場合、図６に示すように芝刈り機０５０の支持棒１左右の両端に対して棒状部材のテンションバー５の先端をそれぞれ接続し、テンションバー５については支持棒１又はハンドル２と一体化でき、支持棒１の左右の間にはハンドル２が設けられていて、更に固定ベルト７の左右端にある固定ベルト接続部６を左右の棒状部材のテンションバー５後方端に接合する事で固定ベルト７が装備される。
またテンションバー５と固定ベルト７については、一体化して製造し装備することができる。
さらに作業の際は、作業者１２０がハンドル２を両手で握り、方向コントロールを行うと共に走行作業においては、固定ベルト７に作業者１２０の体重を掛けてテンションバー５に牽引力を伝え歩く事で前進し、作業者１２０の両腕及び腰に掛る負荷を軽減する。
【手続補正８】
【補正対象書類名】明細書
【補正対象項目名】００２５
【補正方法】変更
【補正の内容】
【００２５】
一輪台車０６０は、積載物の運搬作業の際、作業者１２０にかかる労働負担は大きなものがあるが、固定ベルト牽引型手押し道具に於ける一輪台車０６０の場合、図６に示すように一輪台車０６０のハンドル２の左右両端に対して、棒状のテンションバー５の先端をそれぞれ接続すると共にテンションバー５については支持棒１又はハンドル２と一体化でき、固定ベルト７の左右端にある固定ベルト接続部６を、棒状部材のテンションバー５の左右後方端に接合する事で固定ベルト７が装備され、更にテンションバー５の後端にはショルダーベルト９が装備されている。
テンションバー５と固定ベルト７については、一体化して製造し装備することができる。
固定ベルト牽引型手押し道具に於ける一輪台車０６０の運搬作業の際は、作業者１２０がハンドル２を両手で持つことで方向コントロールを行い、さらに積載物の重量をシングルタイプ又はダブルタイプのショルダーベルト９により作業者１２０の両肩で受け止めると共に、テンションバー５の後端に装備されている事により補助的な牽引力となる。
また走行においては固定ベルト７に作業者１２０の体重を掛けてテンションバー５に牽引力を伝えて歩く事で前進し、作業者１２０の両腕及び腰に掛る負荷を軽減する。
【手続補正９】
【補正対象書類名】明細書
【補正対象項目名】００２７
【補正方法】変更
【補正の内容】
【００２７】
二輪台車０７０は、積載物の運搬作業の際、作業者１２０にかかる労働負担は大きなものがあるが、固定ベルト牽引型手押し道具に於ける二輪台車０７０の場合、図６に示すように二輪台車０７０のハンドル２の左右両端に対して、棒状部材のテンションバー５の先端をそれぞれ接続すると共にテンションバー５については支持棒１又はハンドル２と一体化でき、固定ベルト７の左右端にある固定ベルト接続部６を棒状部材のテンションバー５の左右後端に接合する事で固定ベルト７が装備され、更にテンションバー５の後端にはショルダーベルト９が装備されている。
またテンションバー５と固定ベルト７については一体化して製造し装備することができる。
さらに固定ベルト牽引型手押し道具に於ける二輪台車０７０の運搬作業の際は、作業者１２０がハンドル２を両手で持ち方向コントロールを行い、更に積載物の重量をシングルタイプ又はダブルタイプのショルダーベルト８により作業者１２０の両肩で受け止めると共に、テンションバー５の後端に装備されている事により補助的な牽引力としても働く。
また走行においては固定ベルト７に作業者１２０の体重を掛けてテンションバー５に牽引力を伝えて歩く事で前進し、作業者１２０の両腕及び腰に掛る負荷を軽減する。
【手続補正１０】
【補正対象書類名】明細書
【補正対象項目名】００２９
【補正方法】変更
【補正の内容】
【００２９】
三輪台車０８０は、積載物の運搬作業の際、作業者１２０にかかる労働負担は大きなものがあるが、固定ベルト牽引型手押し道具に於ける三輪台車０６０の場合、図６に示すように三輪台車０６０のハンドル２の左右両端に対して、棒状部材のテンションバー５の先端をそれぞれ接続すると共にテンションバー５については支持棒１又はハンドル２と一体化でき、固定ベルト７の左右端にある固定ベルト接続部６を棒状部材のテンションバー５の左右後端に接合する事で固定ベルト７が装備され、更に固定ベルト７の両端にある補助テンションバー取り付部８に対して補助テンションバー５Ａと接続されたシングルタイプ又はダブルタイプのショルダーベルト９を装備できるようになっている。
またテンションバー５と固定ベルト７については一体化して製造し装備することができ、補助テンションバー５Ａについてはスライド式又は折りたたみ式にして固定ベルト７の両サイドに装備することも出来る。
さらに固定ベルト牽引型手押し道具に於ける三輪台車０６０の運搬作業の際は、作業者１２０がハンドル２を両手で握り方向コントロールを行うと共に走行においては、固定ベルト７に作業者１２０の体重を掛けてテンションバー５に牽引力を伝えて歩く事で前進し、作業者１２０の両腕及び腰に掛る負荷を軽減する。
また、急な上り坂を登る場合においては補助テンションバー５Ａと接続されたショルダーベルト９を取り付け、作業者１２０の両肩に掛け補助的な牽引に使う。
【手続補正１１】
【補正対象書類名】明細書
【補正対象項目名】００３１
【補正方法】変更
【補正の内容】
【００３１】
四輪台車０９０は、積載物の運搬作業の際、作業者１２０にかかる労働負担は大きなものがあるが、固定ベルト牽引型手押し道具に於ける四輪輪台車０６０の場合、図６に示すように四輪台車０６０のハンドル２の左右両端に対して、棒状部材のテンションバー５の先端をそれぞれ接続すると共にテンションバー５については支持棒１又はハンドル２と一体化でき、固定ベルト７の左右端にある固定ベルト接続部６を棒状部材のテンションバー５の左右後端に接合する事で固定ベルト７が装備され、更に固定ベルト７の両端にある補助テンションバー取り付部８に対して補助テンションバー５Ａと接続されたシングルタイプ又はダブルタイプのショルダーベルト９を装備できるようになっている。
またテンションバー５と固定ベルト７については一体化して製造し装備することができ、補助テンションバー５Ａについてはスライド式又は折りたたみ式にして、固定ベルト７の両サイドの装備することも出来る。
さらに固定ベルト牽引型手押し道具に於ける四輪台車０９０の運搬作業の際は、作業者１２０がハンドル２を両手で握り方向コントロールを行うと共に走行においては、固定ベルト７に作業者１２０の体重を掛けてテンションバー５に牽引力を伝えて歩く事で前進し、作業者１２０の両腕及び腰に掛る負荷を軽減する。
また、急な上り坂を登る場合においては補助テンションバー５Ａと接続されたショルダーベルト９を取り付け、作業者１２０の両肩に掛け補助的な牽引に使う。
【手続補正１２】
【補正対象書類名】明細書
【補正対象項目名】００３３
【補正方法】変更
【補正の内容】
【００３３】
車椅子１００の移動の際、作業者（介護者）１２０にかかる労働負担は大きなものがあるが、固定ベルト牽引型手押し道具に於ける車椅子１００の場合、図６に示すように車椅子１００のハンドル２の左右両端に対して、棒状部材のテンションバー５の先端をそれぞれ接続すると共にテンションバー５については支持棒１又はハンドル２と一体化でき、固定ベルト７の左右端にある固定ベルト接続部６を棒状部材のテンションバー５の左右後端に接合する事で固定ベルト７が装備され、更に固定ベルト７の両端にある補助テンションバー取り付部８に対して補助テンションバー５Ａと接続されたシングルタイプ又はダブルタイプのショルダーベルト９を装備できるようになっている。
またテンションバー５と固定ベルト７については一体化して製造し装備することができ、補助テンションバー５Ａについてはスライド式又は折りたたみ式にして装備することも出来る。
さらに固定ベルト牽引型手押し道具に於ける車椅子１００の移動の際は、作業者（介護者）１２０がハンドル２を両手で握り方向コントロールを行うと共に、走行においては固定ベルト７に作業者（介護者）１２０の体重を掛けてテンションバー５に牽引力を伝えて歩く事で前進し、作業者（介護者）１２０の両腕及び腰に掛る負荷を軽減する。
また、急な上り坂を登る場合においては補助テンションバー５Ａと接続されたショルダーベルト９を取り付け、作業者（介護者）１２０の両肩に掛け補助的な牽引に使う。
【手続補正１３】
【補正対象書類名】明細書
【補正対象項目名】００３５
【補正方法】変更
【補正の内容】
【００３５】
乳母車の移動の際、作業者（保護者）にかかる長時間の労働負担は大きなものがあるが、固定ベルト牽引型手押し道具に於ける乳母車１１０の場合、図６に示すように乳母車１１０のハンドル２の左右両端に対して、棒状部材のテンションバー５の先端をそれぞれ接続すると共にテンションバー５については支持棒１又はハンドル２と一体化でき、固定ベルト７の左右端にある固定ベルト接続部６を棒状部材のテンションバー５の左右後端に接合する事で固定ベルト７が装備され、更に固定ベルト７の両端にある補助テンションバー取り付部８に対して補助テンションバー５Ａと接続されたシングルタイプ又はダブルタイプのショルダーベルト９を装備できるようになっている。
またテンションバー５と固定ベルト７は一体化して製造し装備することができ、補助テンションバーについてはスライド式又は折りたたみ式にして、固定ベルト７の両サイドに装備することも出来る。
さらに固定ベルト牽引型手押し道具に於ける乳母車１１０の移動の際は、作業者（保護者）１２０がハンドル２を両手で握り方向コントロールを行うと共に、走行においては固定ベルト７に作業者（保護者）１２０の体重を掛けてテンションバー５に牽引力を伝えて歩く事で前進し、作業者（保護者）１２０の両腕及び腰に掛る負荷を軽減する。
また、急な上り坂を登る場合においては補助テンションバー５Ａと接続されたショルダーベルト９を取り付け、作業者（保護者）１２０の両肩に掛け補助的な牽引に使う。
【手続補正１４】
【補正対象書類名】特許請求の範囲
【補正対象項目名】全文
【補正方法】変更
【補正の内容】
【特許請求の範囲】
【請求項１】
手押しによる道具であって、その構造は手押し道具の両支持棒１及びハンドル２の先端に対して、コンパクト化された棒状部材の牽引用テンションバー５を左右に取り付け、テンションバーについては支持棒１又はハンドル２と一体化でき、更に後方に伸びた棒状部材のテンションバー５の先端に、固定ベルト７の両端にある固定ベルト接続部６を介して固定ベルト７を装備し、さらにテンションバー５と固定ベルト７については一体型として製造し取り付けができる固定ベルト牽引型手押し道具。
【請求項２】
請求項１の記載された固定ベルト牽引型手押し道具において、支持棒１シングルタイプについては支持棒１とテンションバー５の間にサイドバーハンドル３が設けられていて、その構造は、手持ち部分が先端から二股に分かれ補強のため棒状のサイドバー４が取り付けられたものであり、更にサイドバーハンドル３及びテンションバー５、固定ベルト７については一体型として製造及び取り付けができる固定ベルト牽引型手押し道具。
【請求項３】
請求項１の記載された固定ベルト牽引型手押し道具において、支持棒１又はハンドル２後端に取り付けられたテンションバー５の両後方に対してシングルタイプ又はダブルタイプのショルダーベルト９を取り付けることができる固定ベルト牽引型手押し道具。
【手続補正書】
【提出日】平成21年4月6日(2009.4.6)
【手続補正１】
【補正対象書類名】明細書
【補正対象項目名】００１７
【補正方法】変更
【補正の内容】
【００１７】
固定ベルト牽引型手押し道具宇の除雪具（小）０２０は小型であり、構造としては除雪具（小）０２０の支持棒１はシングルタイプであり、さらに先端から後方にかけて左右二股に分かれたサイドバーハンドル３の先端を、支持棒１の後端に接続する。
また左右二股に分かれたサイドバーハンドル３は棒状部材のサイドバー４で補強されていて、更に左右二股に分かれたサイドバーハンドル３の後端それぞれに、棒状部材のテンションバー５の先端を接続し、更に固定ベルト７の左右端にある固定ベルト接続部６を、棒状部材のテンションバー５の左右後端に接合することで固定ベルト７を装備している。
またサイドバーハンドル３タイプの場合、支持棒１及びサイドバーハンドル３、テンションバー５、固定ベルト７を全て取り入れた一体型で製造し装備することができる。
固定ベルト牽引型手押し道具に於ける除雪具（小）０２０に支持棒１を介して取り付けられた左右のサイドバーハンドル３は、作業者１２０が除雪作業をする際において、両手で持って除雪具（小）０２０の方向をコントロールする為ものであり、また固定ベルト７に作業者１２０の身体の体重を掛けて走行作業をする事で、作業労力を軽減するものである。
【手続補正２】
【補正対象書類名】明細書
【補正対象項目名】００１９
【補正方法】変更
【補正の内容】
【００１９】
掃除用具モップ０３０は、一般的にビルなどの業務用掃除用具として使われており、広範囲の作業のため作業が大変である。
固定ベルト牽引型手押し道具に於ける掃除用具モップ０３０の構造としては、掃除用具モップ０３００の支持棒１はシングルタイプであり、先端から二股に分かれたサイドバーハンドル３の先端を、支持棒１の後端に接続し、また左右二股に分かれたサイドバーハンドル３については棒状部材のサイドバー４で補強されていて、二股に分かれたサイドバーハンドル３の二本の後端それぞれに対して、棒状部材のテンションバー５の先端を接続し、更に固定ベルト７の左右両端にある固定ベルト接続部６をテンションバー５の左右後端に接合することで固定ベルト７を装備している。
またサイドバーハンドル３タイプの場合、支持棒１及びサイドバーハンドル３、テンションバー５、固定ベルト７を全て取り入れた一体型で製造し装備することができる。
固定ベルト牽引型手押し道具に於ける掃除用具モップ０３０に、支持棒１を介して取り付けられた左右のサイドバーハンドル３は、作業者１２０が掃除作業をする際において、両手で持って掃除用具モップ０３０の方向をコントロールする為ものであり、更に固定ベルト７に作業者１２０の身体の体重を掛けてテンションバー５に牽引力を伝え、走行作業をする事で、作業者１２０の腕及び腰に掛かる作業労力を軽減するものである。
【手続補正３】
【補正対象書類名】明細書
【補正対象項目名】００２１
【補正方法】変更
【補正の内容】
【００２１】
掃除用具水切りワイパー０４０は、一般的にビルなどの業務用掃除用具として使われており、広範囲の作業のため作業が大変である。
固定ベルト牽引型手押し道具に於ける掃除用具水切りワイパー０４０の構造としては、掃除用具水切りワイパー０４０の支持棒１はシングルタイプであり、一つの先端から二股に分かれたサイドバーハンドル３の先端を、掃除用具水切りワイパー０４０の支持棒１の後端に接続し、また左右に分かれたサイドバーハンドル３は棒状部材のサイドバー４で補強されていて、二股に分かれたサイドバーハンドル３の二本の後端に対して棒状部材のテンションバー５の先端を接続し、更に固定ベルト７の左右両端にある固定ベルト接続部６を棒状部材のテンションバー５の左右後端に接合することで固定ベルト７を装備する。
またサイドバーハンドル３タイプの場合、支持棒１及びサイドバーハンドル３、テンションバー５、固定ベルト７を全て取り入れた一体型で製造し装備することができる。
固定ベルト牽引型手押し道具に於ける掃除用具水切りワイパー０４０に、支持棒１を介して取り付けられた左右のサイドバーハンドル３は、作業者１２０が掃除作業をする際において、両手で持って掃除用具水切りワイパー０４０の方向をコントロールする為ものであり、更に固定ベルト７に作業者１２０の身体の体重を掛けてテンションバー５に牽引力を伝え走行作業をする事で、作業者１２０の両腕、腰に掛かる作業労力を軽減するものである。
【手続補正４】
【補正対象書類名】特許請求の範囲
【補正対象項目名】請求項２
【補正方法】変更
【補正の内容】
【請求項２】
請求項１の記載された固定ベルト牽引型手押し道具において、支持棒１シングルタイプについては支持棒１とテンションバー５の間にサイドバーハンドル３が設けられていて、その構造は、手持ち部分が先端から二股に分かれ補強のため棒状のサイドバー４が取り付けられたものであり、更に支持棒１及びサイドバーハンドル３、テンションバー５、固定ベルト７については一体型として製造及び取り付けができる固定ベルト牽引型手押し道具。 
【手続補正書】
【提出日】平成21年12月3日(2009.12.3)
【手続補正１】
【補正対象書類名】明細書
【補正対象項目名】０００２
【補正方法】変更
【補正の内容】
【０００２】
特開２００８−１１４６５６号ショルダーベルト牽引型手押し道具は、テンションバーを手押し道具の支持棒、及びハンドル後方に取り付け、作業者の身体にショルダーベルトを装着し作業者の体重を前方に掛ける事によりショルダーベルトに牽引力が働き、徒歩による手押労力を軽減する事ができ作業者の無理な姿勢から解放することができる。
【手続補正２】
【補正対象書類名】明細書
【補正対象項目名】０００３
【補正方法】変更
【補正の内容】
【０００３】
特開２００８−０１３１５４号ショルダーベルト牽引型台車は、両支持テンションバーを四輪台車のハンドル後方へ取り付け、身体にショルダーベルトを装着し、人間の体重を前方に掛ける事によりショルダーベルトに牽引力が働き四輪台車が楽に走行する。
また牽引方式によってバランスが良くなり一輪台車の場合、負荷が大幅に軽減され、更に手押しによる両手に掛かる負荷がないので、無理な姿勢から解放することができ、構造が簡単で重量が軽く小回りが効く。
【特許文献１】特開２００８−１１４６５６号公報
【特許文献２】特開２００８−０１３１５４号公報
【手続補正３】
【補正対象書類名】明細書
【補正対象項目名】０００７
【補正方法】変更
【補正の内容】
【０００７】
上述の目的を達成する本発明の固定ベルト牽引型手押し道具は、手押し道具の支持棒及びハンドルの両後端に先行技術におけるテンションバーをコンパクト化して取り付け、更にテンションバーのもう一方の両先端に牽引用の固定ベルトを装備し、手押し道具を前進させる際には、作業者の身体の体重を固定ベルトに掛け、歩き出す事によってテンションバーを牽引し、手押し道具の牽引作業を提供するものである。  
よって固定ベルト牽引型手押し道具は、テンションバーがコンパクト化されているため、ショルダーベルト牽引型手押し道具やショルダーベルト牽引型台車におけるテンションバー、及びショルダーベルトによる作業者の身体の束縛から解放し、作業効率を大幅に上げ、束縛からの作業者の安全性を確保する事ができる。
また固定ベルト牽引型手押し道具はテンションバーがコンパクト化されたため、折りたたみ式にする必要がなく構造が簡単であり、製造上の強度確保が容易である。
【手続補正４】
【補正対象書類名】明細書
【補正対象項目名】００１４
【補正方法】変更
【補正の内容】
【００１４】
除雪作業の際、除雪具（大）０１０は大いに有効であるが、作業者１２０の腕、腰にかかる労力負担は大きなものがある。
固定ベルト牽引型手押し道具に於ける除雪具（大）０１０は、図１に示すように除雪具（大）０１０の支持棒１の左右両端に対して、金属又はその他材料を使用した棒状部材のテンションバー５をそれぞれ接続すると共に、左右の支持棒１の間にはハンドル２が設けられ、更に固定ベルト７の左右端にある固定ベルト接続部６を、棒状部材のテンションバー５の左右後端に接合する事で強化プラスチックあるいは同等の強度を持った材料、または強化ゴムなどの収縮材料などで成形された固定ベルト７が装備される。
またテンションバー５と固定ベルト７については一体化してプレス製造し、装備することができる。
さらに除雪作業の際は、作業者１２０がハンドル２を両手で握り、方向コントロールを行うと共に除雪の為の走行は、固定ベルト７に作業者１２０の体重を掛けてテンションバー５に牽引力を伝え、歩く事で除雪具（大）０１０が前進し除雪作業を行い、作業者１２０の両腕及び腰に掛る負荷を軽減する。
【手続補正５】
【補正対象書類名】明細書
【補正対象項目名】００１７
【補正方法】変更
【補正の内容】
【００１７】
固定ベルト牽引型手押し道具宇の除雪具（小）０２０は小型であり、構造としては除雪具（小）０２０の支持棒１はシングルタイプであり、さらに先端から後方にかけて左右二股に分かれ、金属や強化プラスチックその他の材料で形成されたサイドバーハンドル３の先端を、支持棒１の後端に接続する。
また左右二股に分かれたサイドバーハンドル３は棒状部材のサイドバー４で補強されていて、更に左右二股に分かれたサイドバーハンドル３の後端それぞれに、金属又はその他材料を使用した棒状部材のテンションバー５の先端を接続し、更に固定ベルト７の左右端にある固定ベルト接続部６を、棒状部材のテンションバー５の左右後端に接合することで、強化プラスチックあるいは同等の強度を持った材料、または強化ゴムなどの収縮材料などで成形された固定ベルト７を装備している。
またサイドバーハンドル３タイプの場合、サイドバーハンドル３及びテンションバー５、固定ベルト７を全て取り入れた一体型で、強化プラスチック、その他の部材でプレス製造し装備することができる。
固定ベルト牽引型手押し道具に於ける除雪具（小）０２０に支持棒１を介して取り付けられた左右のサイドバーハンドル３は、作業者１２０が除雪作業をする際において、両手で持って除雪具（小）０２０の方向をコントロールする為ものであり、また固定ベルト７に作業者１２０の身体の体重を掛けて走行作業をする事で、作業労力を軽減するものである。
【手続補正６】
【補正対象書類名】明細書
【補正対象項目名】００１９
【補正方法】変更
【補正の内容】
【００１９】
掃除用具モップ０３０は、一般的にビルなどの業務用掃除用具として使われており、広範囲の作業のため作業が大変である。
固定ベルト牽引型手押し道具に於ける掃除用具モップ０３０の構造としては、掃除用具モップ０３０の支持棒１はシングルタイプであり、先端から二股に分かれ金属や強化プラスチックその他の材料で形成されたサイドバーハンドル３の先端を、支持棒１の後端に接続し、また左右二股に分かれたサイドバーハンドル３については棒状部材のサイドバー４で補強されていて、二股に分かれたサイドバーハンドル３の二本の後端それぞれに対して、金属又はその他材料を使用した棒状部材のテンションバー５の先端を接続し、更に固定ベルト７の左右両端にある固定ベルト接続部６をテンションバー５の左右後端に接合することで、強化プラスチックあるいは同等の強度を持った材料、または強化ゴムなどの収縮材料などで成形された固定ベルト７を装備している。
またサイドバーハンドル３タイプの場合、サイドバーハンドル３及びテンションバー５、固定ベルト７を全て取り入れた一体型で、強化プラスチック、その他の部材でプレス製造し装備することができる。
固定ベルト牽引型手押し道具に於ける掃除用具モップ０３０に、支持棒１を介して取り付けられた左右のサイドバーハンドル３は、作業者１２０が掃除作業をする際において、両手で持って掃除用具モップ０３０の方向をコントロールする為ものであり、更に固定ベルト７に作業者１２０の身体の体重を掛けてテンションバー５に牽引力を伝え、走行作業をする事で、作業者１２０の腕及び腰に掛かる作業労力を軽減するものである。
【手続補正７】
【補正対象書類名】明細書
【補正対象項目名】００２１
【補正方法】変更
【補正の内容】
【００２１】
掃除用具水切りワイパー０４０は、一般的にビルなどの業務用掃除用具として使われており、広範囲の作業のため作業が大変である。
固定ベルト牽引型手押し道具に於ける掃除用具水切りワイパー０４０の構造としては、掃除用具水切りワイパー０４０の支持棒１はシングルタイプであり、一つの先端から二股に分かれ、金属や強化プラスチックその他の材料で形成されたサイドバーハンドル３の先端を、掃除用具水切りワイパー０４０の支持棒１の後端に接続し、また左右に分かれたサイドバーハンドル３は棒状部材のサイドバー４で補強されていて、二股に分かれたサイドバーハンドル３の二本の後端に対して、金属又はその他材料を使用した棒状部材のテンションバー５の先端を接続し、更に固定ベルト７の左右両端にある固定ベルト接続部６を棒状部材のテンションバー５の左右後端に接合することで、強化プラスチックあるいは同等の強度を持った材料、または強化ゴムなどの収縮材料などで成形された固定ベルト７を装備する。
またサイドバーハンドル３タイプの場合、サイドバーハンドル３及びテンションバー５、固定ベルト７を全て取り入れた一体型で、強化プラスチック、その他の部材でプレス製造し装備することができる。
固定ベルト牽引型手押し道具に於ける掃除用具水切りワイパー０４０に、支持棒１を介して取り付けられた左右のサイドバーハンドル３は、作業者１２０が掃除作業をする際において、両手で持って掃除用具水切りワイパー０４０の方向をコントロールする為ものであり、更に固定ベルト７に作業者１２０の身体の体重を掛けてテンションバー５に牽引力を伝え走行作業をする事で、作業者１２０の両腕、腰に掛かる作業労力を軽減するものである。
【手続補正８】
【補正対象書類名】明細書
【補正対象項目名】００２３
【補正方法】変更
【補正の内容】
【００２３】
芝刈り機０５０は、広範囲の作業が求められ、作業者１２０に掛る負担は大きなものがあるが、固定ベルト牽引型手押し道具に於ける芝刈り機０５０の場合、図６に示すように芝刈り機０５０の支持棒１左右の両端に対して、金属又はその他材料を使用した棒状部材のテンションバー５の先端をそれぞれ接続し、支持棒１の左右の間にはハンドル２が設けられていて、更に固定ベルト７の左右端にある固定ベルト接続部６を左右の棒状部材のテンションバー５後方端に接合する事で、強化プラスチックあるいは同等の強度を持った材料または強化ゴムなどの収縮材料などで成形された固定ベルト７が装備される。
またテンションバー５と固定ベルト７については、一体化してプレス製造し装備することができる。
さらに作業の際は、作業者１２０がハンドル２を両手で握り、方向コントロールを行うと共に走行作業においては、固定ベルト７に作業者１２０の体重を掛けてテンションバー５に牽引力を伝え歩く事で前進し、作業者１２０の両腕及び腰に掛る負荷を軽減する。
【手続補正９】
【補正対象書類名】明細書
【補正対象項目名】００２５
【補正方法】変更
【補正の内容】
【００２５】
一輪台車０６０は、積載物の運搬作業の際、作業者１２０にかかる労働負担は大きなものがあるが、固定ベルト牽引型手押し道具に於ける一輪台車０６０の場合、図６に示すように一輪台車０６０のハンドル２の左右両端に対して、金属又はその他材料を使用した棒状のテンションバー５の先端をそれぞれ接続すると共に、固定ベルト７の左右端にある固定ベルト接続部６を、棒状部材のテンションバー５の左右後方端に接合する事で、強化プラスチックまたは強化ゴムなどの収縮材料などで成形された固定ベルト７が装備され、更にテンションバー５の後端にはショルダーベルト９が装備されている。
テンションバー５と固定ベルト７については、一体化してプレス製造し装備することができる。
固定ベルト牽引型手押し道具に於ける一輪台車０６０の運搬作業の際は、作業者１２０がハンドル２を両手で持つことで方向コントロールを行い、さらに積載物の重量をショルダーベルト９により作業者１２０の両肩で受け止めると共に、テンションバー５の後端に装備されている事により補助的な牽引力となる。
また走行においては固定ベルト７に作業者１２０の体重を掛けてテンションバー５に牽引力を伝えて歩く事で前進し、作業者１２０の両腕及び腰に掛る負荷を軽減する。
【手続補正１０】
【補正対象書類名】明細書
【補正対象項目名】００２７
【補正方法】変更
【補正の内容】
【００２７】
二輪台車０７０は、積載物の運搬作業の際、作業者１２０にかかる労働負担は大きなものがあるが、固定ベルト牽引型手押し道具に於ける二輪台車０７０の場合、図６に示すように二輪台車０７０のハンドル２の左右両端に対して、金属又はその他材料を使用した棒状部材のテンションバー５の先端をそれぞれ接続すると共に、固定ベルト７の左右端にある固定ベルト接続部６を棒状部材のテンションバー５の左右後端に接合する事で強化プラスチックあるいは同等の強度を持った材料または強化ゴムなどの収縮材料などで成形された固定ベルト７が装備され、更にテンションバー５の後端にはショルダーベルト９が装備されている。
またテンションバー５と固定ベルト７については一体化してプレス製造し装備することができる。
さらに固定ベルト牽引型手押し道具に於ける二輪台車０７０の運搬作業の際は、作業者１２０がハンドル２を両手で持ち方向コントロールを行い、更に積載物の重量をショルダーベルト８により作業者１２０の両肩で受け止めると共に、テンションバー５の後端に装備されている事により補助的な牽引力としても働く。
また走行においては固定ベルト７に作業者１２０の体重を掛けてテンションバー５に牽引力を伝えて歩く事で前進し、作業者１２０の両腕及び腰に掛る負荷を軽減する。
【手続補正１１】
【補正対象書類名】明細書
【補正対象項目名】００２９
【補正方法】変更
【補正の内容】
【００２９】
三輪台車０８０は、積載物の運搬作業の際、作業者１２０にかかる労働負担は大きなものがあるが、固定ベルト牽引型手押し道具に於ける三輪台車０８０の場合、図６に示すように三輪台車０８０のハンドル２の左右両端に対して、金属又はその他材料を使用した棒状部材のテンションバー５の先端をそれぞれ接続すると共に、固定ベルト７の左右端にある固定ベルト接続部６を棒状部材のテンションバー５の左右後端に接合する事で、強化プラスチックあるいは同等の強度を持った材料または強化ゴムなどの収縮材料などで成形された固定ベルト７が装備され、更に固定ベルト７の両端にある補助テンションバー取り付部８に対して補助テンションバー５Ａと接続されたショルダーベルト９を装備できるようになっている。
またテンションバー５と固定ベルト７については一体化してプレス製造し装備することができ、補助テンションバー５Ａについてはスライド式又は折りたたみ式にして固定ベルト７の両サイドに装備することも出来る。
さらに固定ベルト牽引型手押し道具に於ける三輪台車０８０の運搬作業の際は、作業者１２０がハンドル２を両手で握り方向コントロールを行うと共に走行においては、固定ベルト７に作業者１２０の体重を掛けてテンションバー５に牽引力を伝えて歩く事で前進し、作業者１２０の両腕及び腰に掛る負荷を軽減する。
また、急な上り坂を登る場合においては補助テンションバー５Ａと接続されたショルダーベルト９を取り付け、作業者１２０の両肩に掛け補助的な牽引に使う。
【手続補正１２】
【補正対象書類名】明細書
【補正対象項目名】００３１
【補正方法】変更
【補正の内容】
【００３１】
四輪台車０９０は、積載物の運搬作業の際、作業者１２０にかかる労働負担は大きなものがあるが、固定ベルト牽引型手押し道具に於ける四輪輪台車０９０の場合、図６に示すように四輪台車０９０のハンドル２の左右両端に対して、金属又はその他材料を使用した棒状部材のテンションバー５の先端をそれぞれ接続すると共に、固定ベルト７の左右端にある固定ベルト接続部６を棒状部材のテンションバー５の左右後端に接合する事で強化プラスチックあるいは同等の強度を持った材料、または強化ゴムなどの収縮材料などで成形された固定ベルト７が装備され、更に固定ベルト７の両端にある補助テンションバー取り付部８に対して補助テンションバー５Ａと接続されたショルダーベルト９を装備できるようになっている。
またテンションバー５と固定ベルト７については一体化してプレス製造し装備することができ、補助テンションバー５Ａについてはスライド式又は折りたたみ式にして、固定ベルト７の両サイドの装備することも出来る。
さらに固定ベルト牽引型手押し道具に於ける四輪台車０９０の運搬作業の際は、作業者１２０がハンドル２を両手で握り方向コントロールを行うと共に走行においては、固定ベルト７に作業者１２０の体重を掛けてテンションバー５に牽引力を伝えて歩く事で前進し、作業者１２０の両腕及び腰に掛る負荷を軽減する。
また、急な上り坂を登る場合においては補助テンションバー５Ａと接続されたショルダーベルト９を取り付け、作業者１２０の両肩に掛け補助的な牽引に使う。
【手続補正１３】
【補正対象書類名】明細書
【補正対象項目名】００３３
【補正方法】変更
【補正の内容】
【００３３】
車椅子１００の移動の際、作業者（介護者）１２０にかかる労働負担は大きなものがあるが、固定ベルト牽引型手押し道具に於ける車椅子１００の場合、図６に示すように車椅子１００のハンドル２の左右両端に対して、金属又はその他材料を使用した棒状部材のテンションバー５の先端をそれぞれ接続すると共に、固定ベルト７の左右端にある固定ベルト接続部６を棒状部材のテンションバー５の左右後端に接合する事で、強化プラスチックあるいは同等の強度を持った材料、または強化ゴムなどの収縮材料などで成形された固定ベルト７が装備され、更に固定ベルト７の両端にある補助テンションバー取り付部８に対して補助テンションバー５Ａと接続されたショルダーベルト９を装備できるようになっている。
またテンションバー５と固定ベルト７については一体化してプレス製造し装備することができ、補助テンションバー５Ａについてはスライド式又は折りたたみ式にして装備することも出来る。
さらに固定ベルト牽引型手押し道具に於ける車椅子１００の移動の際は、作業者（介護者）１２０がハンドル２を両手で握り方向コントロールを行うと共に、走行においては固定ベルト７に作業者（介護者）１２０の体重を掛けてテンションバー５に牽引力を伝えて歩く事で前進し、作業者（介護者）１２０の両腕及び腰に掛る負荷を軽減する。
また、急な上り坂を登る場合においては補助テンションバー５Ａと接続されたショルダーベルト９を取り付け、作業者（介護者）１２０の両肩に掛け補助的な牽引に使う。
【手続補正１４】
【補正対象書類名】明細書
【補正対象項目名】００３５
【補正方法】変更
【補正の内容】
【００３５】
乳母車の移動の際、作業者（保護者）にかかる長時間の労働負担は大きなものがあるが、固定ベルト牽引型手押し道具に於ける乳母車１１０の場合、図６に示すように乳母車１１０のハンドル２の左右両端に対して、金属又はその他材料を使用した棒状部材のテンションバー５の先端をそれぞれ接続すると共に、固定ベルト７の左右端にある固定ベルト接続部６を棒状部材のテンションバー５の左右後端に接合する事で強化プラスチックあるいは同等の強度を持った材料、または強化ゴムなどの収縮材料などで成形された固定ベルト７が装備され、更に固定ベルト７の両端にある補助テンションバー取り付部８に対して補助テンションバー５Ａと接続されたショルダーベルト９を装備できるようになっている。
またテンションバー５と固定ベルト７は一体化してプレス製造し装備することができ、補助テンションバーについてはスライド式又は折りたたみ式にして、固定ベルト７の両サイドに装備することも出来る。
さらに固定ベルト牽引型手押し道具に於ける乳母車１１０の移動の際は、作業者（保護者）１２０がハンドル２を両手で握り方向コントロールを行うと共に、走行においては固定ベルト７に作業者（保護者）１２０の体重を掛けてテンションバー５に牽引力を伝えて歩く事で前進し、作業者（保護者）１２０の両腕及び腰に掛る負荷を軽減する。
また、急な上り坂を登る場合においては補助テンションバー５Ａと接続されたショルダーベルト９を取り付け、作業者（保護者）１２０の両肩に掛け補助的な牽引に使う。
【手続補正１５】
【補正対象書類名】特許請求の範囲
【補正対象項目名】全文
【補正方法】変更
【補正の内容】
【特許請求の範囲】
【請求項１】
手押しによる道具であって、その構造は手押し道具の機種によって異なり、支持棒１、又はハンドル２、又はサイドバーハンドル３のそれぞれの両後端に対して、金属又はその他の部材を使用した棒状部材の牽引用テンションバー５を左右に取り付け、棒状部材のテンションバー５の両先端に、固定ベルト７の両端にある固定ベルト接続部６を介して、強化プラスチックあるいは同等の強度を持つ材料、及び強化ゴムなどの縮材料などで形成された固定ベルト７を装備し、作業者１２０の腰に固定ベルト７を当て体重を掛けて牽引作業を行う事を特徴とした固定ベルト牽引型手押し道具。
【手続補正書】
【提出日】平成22年2月19日(2010.2.19)
【手続補正１】
【補正対象書類名】特許請求の範囲
【補正対象項目名】請求項１
【補正方法】変更
【補正の内容】
【請求項１】
手押しによる除雪具２０であって、その構造は雪掻きバケット２に取り付けられた１本の支持棒１の後端に対して、金属又は強化プラスチックからなる手持ち部分が先端から二股に分かれたハンドル３を取り付け、ハンドル３の両後端に金属又は強化プラスチックを使用した棒状部材のテンションバー５を取り付け、テンションバー５の両後端に強化プラスチック又は強化ゴムで形成された固定ベルト７を固定ベルト接続部６を介して装備し、固定ベルト７に作業者の腰部を当て体重を掛け、除雪作業を行う事を特徴とする固定ベルト型手押し除雪具。
【手続補正書】
【提出日】平成22年2月19日(2010.2.19)
【手続補正１】
【補正対象書類名】明細書
【補正対象項目名】全文
【補正方法】変更
【補正の内容】
【発明の詳細な説明】
【技術分野】
【０００１】
本発明は、手押し除雪具による除雪作業をする場合、手押し除雪具に掛かる抵抗により、作業者の両腕に掛かる負荷は大きなものでしたが、しかし、固定ベルト型手押し除雪具の場合、手押し除雪具のハンドルにテンションバーを取り付け、更に固定ベルトを装備することで、作業者の体重を前方の固定ベルトに掛けて、テンションバーに力を伝え、除雪作業するものであり、人間の身体力学を有効に生かし、腕、腰に掛る負荷を軽減し無理な姿勢から作業者を解放することを目的としている。
構造としては、手押し除雪具のハンドル後方部にテンションバーが取り付けられ、テンションバー後端に固定ベルトを装備するだけの簡単な構造となっている。
【背景技術】
【０００２】
特開２００８−１１４６５６号ショルダーベルト牽引型手押し道具（除雪具小型）は、テンションバーを手押し道具の支持棒、及びハンドル後方に取り付け、作業者の身体にショルダーベルトを装着し作業者の体重を前方に掛ける事によりショルダーベルトに牽引力が働き、徒歩による手押労力（除雪作業）を軽減する事ができ作業者の無理な姿勢から解放することができる。
【先行技術文献】
【特許文献】
【０００３】
【特許文献１】特開２００８−１１４６５６号公報
【発明の概要】
【発明が解決しようとする課題】
【０００４】
上述した特許文献におけるショルダーベルト牽引型手押し道具（除雪具小型）は支持棒及びハンドルにテンションバーを取り付け、ショルダーベルトを作業者に装着し手押し道具（除雪具小型）を牽引するものである。
【０００５】
ショルダーベルト牽引型手押し道具には除雪具大型、除雪具小型、掃除用具モップ、掃除用具水切りワイパー、芝刈り機がある。
いずれもテンションバーおよび装着用ショルダーベルトが作業者の身体の自由を束縛し作業効率を妨げ、束縛による作業者の安全性にも問題があり、また構造上テンションバーが長く折りたたみ式を取り入れる必要があり、構造が複雑化し製品としての強度確保に難点がある。
【０００６】
本発明は、上述したショルダーベルト牽引型手押し道具（除雪具小型）に於ける問題点に対して、解決することができる固定ベルト型手押し除雪具を提供することである。
【課題を解決するための手段】
【０００７】
上述の目的を達成する本発明の固定ベルト型手押し除雪具は、除雪具の雪掻きバケットに支持棒を取付け、支持棒の後端に先端から後方にかけて左右二股に分かれて形成されたハンドルを取付け、ハンドルの両後端にテンションバーを取り付け、更にテンションバーのもう一方の両後端に牽引用の固定ベルトを装備し、手押し除雪具を前進させる際には、作業者の身体の体重を固定ベルトに掛け、歩き出す事により除雪作業を提供するものである。
よって固定ベルト型手押し除雪具は、ショルダーベルト牽引型手押し道具（除雪具小型）におけるテンションバー、及びショルダーベルトによる作業者の身体の束縛から解放し、作業効率を大幅に上げ、束縛からの作業者の安全性を確保する事ができる。
また固定ベルト型手押し除雪具は構造が簡単であり、製造上の強度確保が容易である。
【０００８】
その構造は手押し除雪具の雪掻きバケットに取り付けられた１本の支持棒の後端に、先端から後方にかけて左右二股に分かれたハンドルを取り付け、ハンドルの両後端に対して、棒状部材のテンションバーを取り付け、後方に伸びた棒状部材のテンションバーのもう一方の両先端に固定ベルトを装備し、手押し道具を前進させる際には、作業者の身体の体重を前方の固定ベルトに掛け、歩き出す事によって手押し除雪具の除雪作業を提供するものである。
【０００９】
ショルダーベルト牽引型手押し道具（除雪具小型）は、除雪作業中、テンションバー及びショルダーベルトにより作業者の身体が束縛されるが、固定ベルト型手押し除雪具においては、テンションバーに固定ベルトが装備されて、固定ベルトに作業者の身体の体重を掛けて行う除雪作業ができる構造になっており、テンションバー及びショルダーベルトによる作業者の身体の束縛から放するものである。
【００１０】
この発明は、固定ベルト型手押し除雪具に対してのものである。
【発明の効果】
【００１１】
以上のように、この発明は従来の手押し除雪具の雪掻きバケットに取り付けられた支持棒の後端にハンドルを取り付け、ハンドルの両後端にテンションバーを取り付け、固定ベルトを装備し、固定ベルトに作業者の身体の体重を掛けて除雪作業するものであり、ショルダーベルト牽引型手押し道具（除雪具小型）における、テンションバーおよびショルダーベルトからの作業者の身体の束縛から解放することにより除雪作業効率が向上し、更には束縛による作業者の安全性の向上も図っている。
またこの固定ベルト型手押し除雪具は製造が容易であり、作業者の除雪作業労働力の軽減を目的としている。
【図面の簡単な説明】
【００１２】
【図１】本発明の実施形態に従った固定ベルト型手押し除雪具の雪掻きバケットに取り付けられた支持棒にハンドルを接続し、更に二股に分かれたハンドル両後端にテンションバーを接続し、固定ベルトを取り付けた固定ベルト型手押し除雪具の斜視図である。
【発明を実施するための形態】
【００１３】
以下、本発明の実施の形態を図に基づいて説明する。
【００１４】
図１は、この発明の実施形態に従った固定ベルト型手押し除雪具２０を示す斜視図である。
【００１５】
固定ベルト型手押し除雪具は、構造として雪掻きバケット２に取り付けられた１本の支持棒１に、先端から後方にかけて左右二股に分かれ金属や強化プラスチックで形成されたハンドル３の先端を支持棒１の後端に接続する。
また左右二股に分かれたハンドル３は棒状部材のバー４で補強されていて、更に左右二股に分かれたハンドル３の後端それぞれに、金属又は強化プラスチックを使用した棒状部材のテンションバー５の先端を接続し、更に固定ベルト７の左右端にある固定ベルト接続部６を、棒状部材のテンションバー５の左右後端に接合することで、強化プラスチックまたは強化ゴムなどで成形された固定ベルト７を装備している。
またハンドル３及びテンションバー５、固定ベルト７を全て取り入れた一体型で、強化プラスチックでプレス製造し装備することができる。
固定ベルト型手押し除雪具２０において、雪掻きバケット２に取り付けられた支持棒１に対して取り付けられた左右二股のハンドル３は、作業者が除雪具作業をする際において、両手で持って手押し除雪具２０の方向をコントロールする為のものであり、また固定ベルト７に作業者の身体の体重を掛けて除雪作業をする事で、除雪作業労力を軽減するものである。
【実施例１】
【００１６】
従来の手押し除雪具の作業は作業者の手押しにより行われ、長時間の除雪作業の場合、作業者の両腕、腰にかかる負荷は大きいものがあった。
またショルダーベルト牽引型手押し道具（除雪具）においては作業者の腕、腰にかかる負荷を軽減しているが、いずれもテンションバーおよび装着用のショルダーベルトが作業者の身体の自由を束縛し除雪作業効率を妨げ、束縛による作業者の安全性に問題があり、また構造上テンションバーが長く、折りたたみ式を取り入れる必要がるため構造が複雑化し製品の強度確保に難点がある。
【産業上の利用可能性】
【００１７】
固定ベルト型手押し除雪具は、作業者の身体の体重を固定ベルトにかけて、テンションバーに力を伝えて除雪作業をするものであり、作業者の手押しによる除雪労働力を軽減することで、長時間の手押しによる除雪労働の軽減、及び労働時間の短縮となる。
更にショルダーベルト牽引型手押し道具（除雪具）におけるテンションバー又はショルダーベルトによる作業者の身体束縛から解放することができ、除雪作業効率が向上し作業者の安全性の確保ができる。
また、固定ベルト型手押し除雪具は、構造が簡単になり製品強度の確保が容易であるため、現在普及している除雪具に対して製品の後付も可能であり、また除雪具の生産過程において従来の除雪具と一体化した商品を作る事ができる。
今後はより実現可能な汎用品として一般ユーザーに使用される可能性は多いにある。
【符号の説明】
【００１８】
１  支持棒
２  雪掻きバケット
３  ハンドル
４  バー
５  テンションバー
６  固定ベルト接続部
７  固定ベルト
２０  除雪具
【手続補正３】
【補正対象書類名】図面
【補正対象項目名】図１
【補正方法】変更
【補正の内容】
【図１】
2010215109.tif 000015
【手続補正書】
【提出日】平成22年2月26日(2010.2.26)
【手続補正１】
【補正対象書類名】図面
【補正対象項目名】全図
【補正方法】変更
【補正の内容】
【図１】
2010215109.tif 000016
【手続補正書】
【提出日】平成22年4月30日(2010.4.30)
【手続補正１】
【補正対象書類名】特許請求の範囲
【補正対象項目名】全文
【補正方法】変更
【補正の内容】
【特許請求の範囲】
【請求項１】
手押しによる除雪具２０であって、その構造は雪掻きバケット２に取り付けられた１本の支持棒１の後端に対して、金属又は強化プラスチックからなる手持ち部分が先端から二股に分かれたハンドル３を取り付け、更に二股に分かれたハンドル３は棒状部材のバー４で補強され、ハンドル３の両後端に金属又は強化プラスチックを使用した棒状部材のテンションバー５を取り付け、テンションバー５の両後端に強化プラスチック又は強化ゴムで形成された固定ベルト７を固定ベルト接続部６を介して装備し、固定ベルト７に作業者の腰部を当て体重を掛け、除雪作業を行う事を特徴とする固定ベルト型手押し除雪具。